(57)【要約】  【課題】  ジョイントコネクタ部を電気接続箱に一体的に設け、別体のジョイントコネクタなしで複数の電線をジョイントする。  【解決手段】  複数の電線端末に接続された端子をジョイントバスバー３０の各タブ３０ｂと接続するジョイントコネクタ部１９を本体ケース１１の内部に一体的に形成しており、ジョイントコネクタ部はジョイントバスバー３０の基部３０ａを装着するバスバー装着部２０と、基部３０ａより一定ピッチで突出させたタブ３０ｂを挿入係止する複数の端子収容室２１を連通させて備え、端子収容室内に電線端末に接続させた端子を挿入して上記タブと直接嵌合接続させて上記複数の電線をジョイントする構成としている。  【選択図】  図２
2005261042.tif 000002
【特許請求の範囲】
【請求項１】
複数の電線端末に接続された端子をジョイントバスバーの各タブと接続するジョイントコネクタ部を本体ケースの内部に一体的に形成し、
上記ジョイントコネクタ部は上記ジョイントバスバーの基部を装着するバスバー装着部と、上記基部より一定ピッチで突出させたタブを挿入係止する複数の端子収容室を連通させて備え、
上記端子収容室内に電線端末に接続させた端子を挿入して上記タブと直接嵌合接続させて上記複数の電線をジョイントする構成としていることを特徴とする電気接続箱。
【請求項２】
上記ジョイントバスバーをタブを下向きに突出させて本体ケースの上面側から上記ジョイントコネクタ部のバスバー装着部に挿入係止する一方、電線端末に接続した上記端子を上記本体ケースの下面側から上記端子収容室に挿入係止して、上記ジョイントバスバーのタブと端子とを直接接続している請求項１に記載の電気接続箱。
【発明の詳細な説明】
【技術分野】
【０００１】
本発明は、電気接続箱に関し、詳しくは、電線同士をジョイントするジョイントコネクタを電気接続箱の内部に一体的に設けたものである。
【背景技術】
【０００２】
従来、互いにジョイントする電線は、図４に示すように、電線を集束したワイヤハーネスの幹線から分岐して引き出し、これら分岐線ｗの端末に接続した端子３をジョイントコネクタ１の内部に予め収容係止しているジョイントバスバー２のタブに嵌合して接続している。上記ジョイントコネクタ１はワイヤハーネスの外周面にテープ巻き固定し、あるいは車体パネル等にロック固定している。
【０００３】
しかしながら、電線のジョイントを上記ジョイントコネクタ１を用いて行うと、複数の電線ｗをジョイントした後、ジョイントコネクタ１をワイヤハーネスの幹線に沿わせてテープ巻きしたり、所要箇所にロック固定する等して位置決め固定しなければならず、該位置決め固定作業に手数がかかると共に、ジョイントコネクタを必要とし、部品点数が増加する問題もある。
【０００４】
上記した問題に対して、特開２０００−６９６４８号（特許文献１）において、図５に示すように、電気接続箱４にジョイントバスバーを収容係止する構成が提供されている。
上記電気接続箱４では、その内部にジョイントバスバー２の基部２ａの固定部を設け、該基部２ａから突出するタブ２ｂをキャビテイ４ａに突出させている。該キャビテイ４ａには複数の電線ｗの端末に接続したコネクタハウジング５を嵌合し、該コネクタハウジング５の各端子収容室内に上記タブ２ｂを挿入させ、各端子収容室内に挿入係止されている電線端末の雌端子と嵌合接続させている。
【０００５】
上記特開２０００−６９６４８号で提供されている電気接続箱では、電線同士のジョイントが電気接続箱４で行われるため、前記したジョイントコネクタ１のようにワイヤハーネスの幹線にテープ巻き等により位置決め固定する必要がない。
しかしながら、複数の電線ｗの端末を予めコネクタハウジング５に接続しておき、このコネクタハウジング５を電気接続箱４のキャビテイ４ａに嵌合して、電線端末の端子をジョイントバスバーのタブと接続する構成としているため、電気接続箱４と別体のコネクタハウジング５を必要とし、部品点数を低減することができず、かつ、電気接続箱４にはコネクタハウジング５を嵌合係止するキャビテイを設ける必要があるため電気接続箱４が大型化および複雑化する問題がある。
【特許文献１】特開２０００−６９６４８号公報
【発明の開示】
【発明が解決しようとする課題】
【０００６】
本発明は上記問題に鑑みてなされたものであり、電線端末に接続しておくコネクタハウジングを不要とし、電気接続箱内に挿入係止したジョイントバスバーと電線端末の端子を直接接続して、複数の電線をジョイントすることを課題としている。
【課題を解決するための手段】
【０００７】
上記課題を解決するため、本発明は、複数の電線端末に接続された端子をジョイントバスバーの各タブと接続するジョイントコネクタ部を本体ケースの内部に一体的に形成し、
上記ジョイントコネクタ部は上記ジョイントバスバーの基部を装着するバスバー装着部と、上記基部より一定ピッチで突出させたタブを挿入係止する複数の端子収容室を連通させて備え、
上記端子収容室内に電線端末に接続させた端子を挿入して上記タブと直接嵌合接続させて上記複数の電線をジョイントする構成としていることを特徴とする電気接続箱を提供している。
【０００８】
上記構成とすると、電気接続箱にジョイントコネクタの機能も持たせることができ、本体ケースに装着したジョイントバスバーと電線端末の端子とを全くコネクタを介さずに直接接続でき、部品点数及び製造コストを低減することができる。
また、ジョイントコネクタをワイヤハーネスの電線群に接続した場合に必要であったジョイントコネクタのワイヤハーネスあるいはパネルへの固定作業を不要とすることができる。
【０００９】
具体的には、上記ジョイントバスバーをタブを下向きに突出させて本体ケースの上面側から上記ジョイントバスバー装着部に挿入係止する一方、電線端末に接続した上記端子を上記本体ケースの下面側から上記端子収容室に挿入係止して、上記ジョイントバスバーのタブと端子とを直接接続している。
【発明の効果】
【００１０】
以上の説明より明らかなように、本発明によれば、電気接続箱にジョイントコネクタの機能を持たせており、電気接続箱の本体ケースに装着したジョイントバスバーと電線端末の端子とをコネクタを介さずに直接接続しているため、部品点数及び製造コストを低減することができる。
また、ジョイントコネクタを電気接続箱と別体に設けた場合のように、ジョイントコネクタを電線群にテープ巻きしたり所要箇所にロック固定する必要がないため、電線をジョイントする作業工数を低減することができる。
【発明を実施するための最良の形態】
【００１１】
本発明の実施形態を図面を参照して説明する。
図１乃至図３は、本発明の実施形態を示し、電気接続箱１０は、本体ケース１１の上面側にアッパーカバー１２を被せて組み付けると共に、下面側にロアカバー１３を被せて組み付けている。
【００１２】
本体ケース１１には、図１に示すように、リレー収容部１４、ヒューズ収容部１５、ヒュージブルリンク収容部１６を設けると共に、空いたスペースに複数のジョイントコネクタ部１９（１９−１、１９−２、１９−３）を一体的に設けている。
これらジョイントコネクタ部１９は、本体ケース１１の上面にジョイントバスバー３０の基部３０ａを挿入係止するバスバー装着部２０を設けていると共に、該バスバー装着部２０に連通させて本体ケース１１の下面に開口する複数の端子収容室２１を設け、各端子収容室２１内にジョイントバスバー３０の基部３０ａから突出させたタブ３０ｂを挿入係止している。
【００１３】
上記バスバー装着部２０の上端には、図２（Ａ）に示すように、上壁２２を設け、該上壁２２に圧入孔２３を穿設している。該バスバー装着部２０の下部に連続すると共に隔壁２６により仕切られた各端子収容室２１には、隔壁２６より係止爪２４を供えた係止片２５を突設している。
【００１４】
上記ジョイントコネクタ部１９に装着するジョイントバスバー３０は、図３に示すように、基部３０ａから同一方向に同一ピッチで複数のタブ３０ｂを突設している。本実施形態では、タブ３０ｂをそれぞれ２本、３本、４本備えたジョイントバスバー３０Ａ、３０Ｂ、３０Ｃを用いている。これらジョイントバスバー３０Ａ〜３０Ｃは、同一の金型を用いて形成しており、所要箇所に入れ子を配置することで所要本数のタブ３０ｂを備えたジョイントバスバー３０としている。
なお、上記ジョイントバスバーはタブを５本以上備えていてもよい。
また、複数のタブを備えた連鎖状のジョイントバスバーを形成し、所要箇所で基部を切断することにより所要本数のタブを備えたジョイントバスバーとしてもよい。
【００１５】
本体ケース１１の端子収容室２１に挿入係止する雌端子４０は、図２（Ａ）に示すように、電線ｗの端末に圧着しており、電気接続部４１に係止用の凹部４２を設けている。
【００１６】
次に、上記ジョイントバスバー３０と電線端末雌端子４０の直接接続方法について説明する。
まず、電線ｗの端末に接続した複数の雌端子４０をそれぞれ端子収容室２１に下端開口を通して下方から挿入し、各雌端子４０の凹部４２に係止片２５の係止爪２４を係止させて雌端子４０を端子収容室２１内に固定する。
ついで、ジョイントバスバー３０のタブ３０ｂを下向きにして、本体ケース１１のバスバー装着部２０の圧入孔２３を通して上方から所要位置まで挿入すると、ジョイントバスバー３０の基部３０ａが圧入孔２３の周縁により挟持されて位置決め固定される。このとき、ジョイントバスバー３０のタブ３０ｂと雌端子４０の電気接続部４１が雌雄嵌合接続されて、図２（Ｂ）に示すように、複数の電線ｗがジョイントされる。
【００１７】
本実施形態では、雌端子４０を端子収容室２１に挿入した後にジョイントバスバー３０をジョイントコネクタ２０に装着して雌端子４０とジョイントバスバーのタブを接続しているが、ジョイントバスバー３０と雌端子４０の挿入順序は逆でもよい。
なお、基部３０ａに係止孔を設けると共に、バスバー装着部２０にピンを設けて、該ピンをジョイントバスバー３０の係止孔に挿入させて、ジョイントバスバー３０を位置決め固定する構成としてもよい。
【００１８】
上記雌端子４０を接続した電線ｗ及び本体ケース１１のコネクタ収容部１７に嵌合させたコネクタに接続された電線（図示せず）は、ロアカバー１３に設けた電線引出口１８を通して外部に引き出している。
【００１９】
上記構成によれば、電気接続箱１０にジョイントコネクタの機能を持たせ、本体ケース１１に装着したジョイントバスバー３０と電線ｗの端末に接続した雌端子を別体のコネクタを介さずに直接接続して複数の電線をジョイントしているため、部品点数及び製造コストを低減することができる。
また、本体ケースの空きスペースにジョイントコネクタ部１９を設けているため、電気接続箱が大型化する問題もない。
さらに、ジョイントコネクタ部１９には所要本数のタブ３０ｂを備えたジョイントバスバー３０を装着すればよいので、回路変更を容易にすることができる。
【図面の簡単な説明】
【００２０】
【図１】本発明の実施形態の電気接続箱を示し、（Ａ）は平面図（アッパーカバーは省略）、（Ｂ）はＡ−Ａ線断面図である。
【図２】ジョイントバスバーと雌端子とを接続した状態を示し、図１（Ａ）のＢ−Ｂ線断面図、（Ｂ）はＣ−Ｃ線断面図である。
【図３】（Ａ）〜（Ｃ）はジョイントバスバーの正面図である。
【図４】従来例を示す図面である。
【図５】他の従来例を示す図面である。
【符号の説明】
【００２１】
１０  電気接続箱
１１  本体ケース
１２  アッパーカバー
１３  ロアカバー
１９  ジョイントコネクタ部
２０  バスバー装着部
２１  端子収容室
３０  ジョイントバスバー
３０ａ  基部
３０ｂ  タブ
４０  雌端子
４１  電気接続部
ｗ    電線
【図１】
2005261042.tif 000003
【図２】
2005261042.tif 000004
【図３】
2005261042.tif 000005
【図４】
2005261042.tif 000006
【図５】
2005261042.tif 000007